(57)【要約】【課題】全体構造が簡単であるにもかかわらず、ヒップ部分および下腹部分の体型補正を効果的に行え、しかも着用状態において窮屈感を軽減できる伸縮性素材のパンツを提供する。【解決手段】伸縮性生地で形成されるパンツ本体１と、パンツ本体１の内側に配置されるガードル２とを備えている。ガードル２の前面中央には、着用状態において下腹を押さえ込み補正する逆台形状の第１補正体１１を設ける。ガードル２の後面の左右には、着用状態においてヒップ部分を持ち上げ補正するＷ字状の第２補正体１２を設ける。第１補正体１１および第２補正体１２は、ガードル２の素材生地に比べて低伸縮で高弾力のメッシュ生地で形成する。ガードル２のウエスト部分２ａは、パンツ本体１のウエスト部分４に縫着して、ガードル２をパンツ本体１と一体化する。【選択図】図１
0003109123.tif 000002
【実用新案登録請求の範囲】
【請求項１】
パンツ本体（１）と、パンツ本体（１）の内側に配置されるガードル（２）とを備えているパンツであって、
ガードル（２）の前面中央と、後面の左右とに、着用状態において下腹を押さえ込み補正する第１補正体（１１）と、ヒップ部分を持ち上げ補正する第２補正体（１２）とが、それぞれ縫着されており、
ガードル（２）のウエスト部分（２ａ）を、パンツ本体（１）のウエスト部分（４）に縫着して、ガードル（２）がパンツ本体（１）と一体化してあるパンツ。
【請求項２】
第１補正体（１１）および第２補正体（１２）のそれぞれが、ガードル（２）の素材生地に比べて低伸縮で高弾力の伸縮生地で形成してある請求項１記載のパンツ。
【請求項３】
第１補正体（１１）が、股上からウエスト部分（２ａ）にわたって逆台形状に形成され、第２補正体（１２）が、ガードル（２）の左右の後身頃（９・９）の下縁に沿ってＷ字状に形成されており、
第１補正体（１１）および第２補正体（１２）が、ガードル（２）の形成生地に比べて低伸縮で高弾力のメッシュ生地で形成されている請求項２記載のパンツ。
【考案の詳細な説明】
【技術分野】
【０００１】
本考案は、パンツ内部にガードルが縫着してあるパンツに関する。
【背景技術】
【０００２】
ガードルなどの体型補正具が縫着してあるパンツに関して、いくつかの提案がある（特許文献１〜５参照）。この種の体型補正具には、補正用の生地パーツをパンツ本体に直接縫着する形態（特許文献２、３、５）と、ショーツ状に形成したガードルをパンツ本体に縫い止める形態（特許文献１、４）とがある。
【０００３】
【特許文献１】登録実用新案第３０２１０６８号公報（段落番号００１１、図３）
【特許文献２】登録実用新案第３００８６１６号公報（段落番号００１３、図１）
【特許文献３】特許第２８９８２２５号公報（段落番号００４７、図１）
【特許文献４】特許第２７９４６２６号公報（段落番号００１２、図１）
【特許文献５】特開２００３−２６８６０６号公報（段落番号００１４、図２）
【考案の開示】
【考案が解決しようとする課題】
【０００４】
補正用の生地パーツをパンツ本体に直接縫着するパンツは、補正用の生地パーツとパンツ本体の生地パーツとを同時に縫着する必要があるので、縫着に多くの手間と時間が掛かる。とくに特許文献２にみられるように、多種類の補正用生地パーツを使用する場合には、パーツ数が多い分だけ多くの手間を要し、パンツの製造コストが高く付く。この点、ショーツ状に形成したガードルをパンツ本体に縫着固定するパンツの場合には、ガードルとパンツ本体との縫着個所がウエストまわりや股裏部分に限られるので、縫着の手間を軽減できる。
【０００５】
例えばジャージーパンツに代表される伸縮性素材のパンツは、その素材生地自体が伸縮性を備えており、ヒップ部分や太股部分に密着するものの、体型線を補正するには至らない。生地の伸縮する方向と、体型補正に必要な力（補正力）の方向とが、必ずしも一致しないからである。そのため、補正用生地パーツをパンツ本体に直接縫着する場合には、ジャージー生地の弾性力と補正用生地パーツの補正力とが拮抗して、体型の補正を効果的に行えないことがある。
【０００６】
この点、ショーツ状に形成したガードルをパンツ本体に縫着固定するパンツの場合には、ガードルによって生じる補正力を、ジャージー生地の弾性力から独立した状態で着用部位に作用させることができるので、体型補正を効果的に行える。このことは、補正用生地パーツの素材として、低伸縮で高弾力の生地を使用する必要がないことを意味し、したがってパンツを着用した状態においてガードルによる窮屈感を抑止できることになる。
【０００７】
特許文献１のパンツは、ガードルの後ろ側に帯状の補正用生地パーツを縫着して、ヒップ部分を持ち上げ補正できるようになっている。しかし、下腹部の体型補正がガードルのみに頼っているので、その形成生地として低伸縮で高弾力の生地を使用する必要があり、着用時の窮屈感を避けられない。着用を容易化するためのスライドファスナーが、ガードルの一側に設けてあることも、低伸縮で高弾力の生地でガードルが形成してあることを予想させる。特許文献４のパンツは、ヒップ部分を持ち上げ補正するための生地パーツすら備えておらず、ヒップ部分および下腹部の体型補正をガードルのみに頼っている。
【０００８】
本考案の目的は、全体構造が簡単であるにもかかわらず、ヒップ部分および下腹部分の体型補正を効果的に行え、しかも着用状態において窮屈感を軽減できるパンツ、なかでも伸縮性素材のパンツを提供することにある。
【課題を解決するための手段】
【０００９】
請求項１記載の本考案に係るパンツは、パンツ本体１と、パンツ本体１の内側に配置されるガードル２とを備えている。ガードル２の前面中央と、後面の左右とには、着用状態において下腹を押さえ込み補正する第１補正体１１と、ヒップ部分を持ち上げ補正する第２補正体１２とをそれぞれ縫着する。ガードル２のウエスト部分２ａは、パンツ本体１のウエスト部分４に縫着して、ガードル２をパンツ本体１と一体化する。
【００１０】
請求項２記載の本考案では、第１補正体１１および第２補正体１２が、それぞれガードル２の素材生地に比べて低伸縮で高弾力の伸縮生地で形成されている。
【００１１】
請求項３記載の本考案では、第１補正体１１が、股上からウエスト部分２ａにわたって逆台形状に形成され、第２補正体１２が、ガードル２の左右の後身頃９・９の下縁に沿ってＷ字状に形成されており、これら第１補正体１１および第２補正体１２が、ガードル２の形成生地に比べて低伸縮で高弾力のメッシュ生地で形成されている。
【考案の効果】
【００１２】
請求項１記載の本考案では、ガードル２の前面中央と後面の左右とに、着用状態において下腹を押さえ込み補正する第１補正体１１と、ヒップ部分を持ち上げ補正する第２補正体１２とをそれぞれ縫着し、ガードル２のウエスト部分２ａをパンツ本体１のウエスト部分４に縫着することによって両者１・２を一体化しているので、補正用生地パーツがパンツ本体に直接縫着してあるパンツに比べて、パンツの全体構造が簡素化し、縫製に要する手間を省くことができる。ガードル２のウエスト部分２ａをパンツ本体１に縫着して両者を一体化しているので、着用状態においてパンツ本体１の形成生地の弾性力に影響されることなく、ガードル２および両補正体１１・１２で体型補正を適正にしかも効果的に行え、補正用生地パーツがパンツ本体に直接縫着してあるパンツに比べて、着用状態におけるガードル２の窮屈感を軽減できる。
【００１３】
請求項２記載の本考案によれば、下腹部を第１補正体１１効果的に押さえ込み、同時にヒップ部分を第２補正体１２で持ち上げ補正できるので、ガードル２のみで体型補正を行う形式に比べて、より大きな補正力を下腹部とヒップ部分とに作用させて、効果的な体型補正を実現しながら、体型補正が不要な個所に補正力が作用するのを防止し、その分だけパンツ着用時の窮屈感を抑止できる。
【００１４】
請求項３記載の本考案によれば、第１補正体１１が股上からウエスト部分２ａにわたって逆台形状に形成され、第２補正体１２がガードル２の後身頃９・９の下縁に沿ってＷ字状に形成されているので、両補正体１１・１２による補正構造を簡素化しながら体型補正を効果的に行える。さらに、両補正体１１・１２が、ガードル２の形成生地に比べて低伸縮で高弾力のメッシュ生地で形成されていると、パンツ着用時のガードル２の通気性を高めて蒸れを解消し、快適さが向上する。
【考案を実施するための最良の形態】
【００１５】
（実施例）  図１ないし図５は本考案に係るパンツの実施例を示しており、ジャージー生地で形成されるパンツ本体１と、パンツ本体１の内側に縫い止められるガードル２とを備えている。パンツ本体１は、前身頃と後身頃との内脇縁どうし、および外脇縁どうしをそれぞれ縫着して、それぞれ筒状の左右一対の脚部パーツ３・３を形成し、両脚部パーツ３・３の上部前縁、股裏、上部後縁に沿って、両脚部パーツ３・３を縫着することにより一体化し、さらにウエスト部分４を折り返したうえで、折り返し部と、そこに内包したゴムベルト５とを縫い止めて構成してある。図２において両脚部パーツ３・３の外脇縁には、それぞれパイピング６を縫着してある。
【００１６】
図３および図４においてガードル２は、前身頃８と、左右一対の後身頃９・９と、左右一対の脚部パーツ１０・１０と、前身頃８の前面中央に縫い止められる第１補正体１１と、左右の後身頃９・９の下縁に沿ってＷ字状に縫着される第２補正体１２とで構成する。
【００１７】
前身頃８、後身頃９、脚部パーツ１０は、それぞれ伸縮性を有する薄手の弾性生地（伸縮生地）で形成するが、パンツ本体１を構成するジャージー生地に比べて、弾性が大きく伸縮性が僅かに小さな薄手の弾性生地で形成する。
【００１８】
第１補正体１１および第２補正体１２は、前身頃８、後身頃９、脚部パーツ１０の形成生地に比べて、さらに弾性が大きく伸縮性が小さなメッシュ生地（伸縮生地）、例えばパワーネットで形成する。このように、前身頃８、後身頃９、脚部パーツ１０による体型補正機能を増強しながら、通風性を向上できる。
【００１９】
第１補正体１１は、着用状態において下腹を押さえ込み補正するために設けられており、ガードル２のウエスト部分２ａに臨む前身頃８の上縁側端寄りから、前身頃８の股上近傍にわたる領域を覆う状態で逆台形状に形成され、その周縁が前身頃８に縫着されている。
【００２０】
第２補正体１２は、ヒップ部分を持ち上げ補正するために設けられており、それぞれガードル２の後身頃９・９の下縁に沿って、股裏から外脇下部にわたって、その周縁が縫着されている。
【００２１】
ガードル２のウエスト部分２ａは、パンツ本体１のウエスト部分４に縫着する。詳しくは、図５に示すようにガードル２のウエスト部分２ａを、パンツ本体１のウエスト部分４の折り返し部と、そこに内包したゴムベルト５との間に挟み込んで、これらを同時に縫着する。さらに折り返し部の下縁を内側に折り込んで、パンツ本体１とウエスト部分２ａとを縫着する。ウエスト部分２ａを縫着する上下の縫着糸を符号１４・１５で、第１・第２の補正体１１・１２の縫着糸を符号１６で示す。
【００２２】
上記構成のパンツによれば、ガードル２にメッシュ状の第１補正体１１と第２補正体１２とを縫着するので、ヒップ部分および下腹部分の体型補正を効果的に行え、着用状態においてガードル２、および両補正体１１・１２によって生じる補正力を、パンツ本体１のジャージー生地の弾性力から独立した状態で着用部位に作用させることができるので、ガードル生地として、いたずらに低伸縮で高弾力の生地を使用する必要がなく、着用時の窮屈感を軽減できる。
【００２３】
主として、メッシュ状の第１補正体１１および第２補正体１２で体型補正を行うので、着用時の通気性を確保しながら体型補正を行え、パンツ着用時の蒸れを防止できる利点もある。パンツ本体１とガードル２とを個別に縫製しておき、両者１・２のウエスト部分４・２ａどうしを縫着して一体化するので、体型補正用の生地パーツをパンツ本体に直接縫着する場合に比べて、パンツ１の全体構造が簡素化し、その分だけパンツの製造に要するコストを削減できる。
【００２４】
上記の実施例以外に、第１補正体１１はＸ字状に交差する２枚の生地パーツで構成することができる。ガードル２とパンツ本体１との間には、両者の絡み付きを防ぐスカート状のスリップ体を配置することができる。パンツ１を脱ぐ際のガードル２のめくれ上がりを防ぐために、ガードル２を構成する脚部パーツの外脇縫目の下端を、帯状の生地、あるいは細い紐からなる規制体を介してパンツ本体１に止め付けることができる。
【図面の簡単な説明】
【００２５】
【図１】パンツの正面図である。
【図２】パンツの上部側面図である。
【図３】ガードルの正面図である。
【図４】ガードルの背面図である。
【図５】パンツとガードルの縫着部の断面図である。
【符号の説明】
【００２６】
１  パンツ本体
２  ガードル
２ａ  ガードルのウエスト部分
４  パンツ本体のウエスト部分
９  ガードルの後身頃
１１  第１補正体
１２  第２補正体
【図１】
0003109123.tif 000003
【図２】
0003109123.tif 000004
【図３】
0003109123.tif 000005
【図４】
0003109123.tif 000006
【図５】
0003109123.tif 000007